(57)【特許請求の範囲】
【請求項１】
砂場に設けられる設備であって、
砂場の周囲に立設される支柱と、
砂場の周囲に張り巡らされる繊維の束を編んだ網からなるネット部材と、
前記ネット部材を吊り下げた状態で保持するワイヤー（３ａ）と、
前記支柱間の上部に掛け渡される支持部材と、
該支持部材に支持され、所定間隔を隔てて、砂場の上空で垂れ下げられ、シート状で繊維の束を編んだ網からなる複数の天井部材と、
前記天井部材の下部に結合され、前記天井部材を斜めに傾けて日陰を調節するワイヤー（２ｂ）と、
砂場を囲んだ前記ネット部材の内側に入るように設けられた足洗い場と、を備えていることを特徴とする砂場設備。
【請求項２】
前記天井部材には、砂場の上空を閉状態とした際に現れる絵柄が施されていることを特徴とする請求項１に記載の砂場設備。
【請求項３】
ＵＶ光をカットするフィルムが前記天井部材に備えられていることを特徴とする請求項１に記載の砂場設備。
【発明の詳細な説明】
【技術分野】
【０００１】
本発明は、犬や猫等の小動物が侵入しないようにし、且つ、子供達に快適な空間を提供する砂場用の設備に関する。
【背景技術】
【０００２】
公園や幼稚園等に設備されている砂場は、犬や猫等の小動物の排泄物により、汚染されていることがある。このような汚染により、子供たちへの健康被害が懸念されており、砂場の管理者は砂場の砂を定期的に入れ替えること等の作業を強いられている。このような作業を軽減させるために、実用新案登録第３０６９３７９号公報には、猫や犬の侵入を防止するための砂場用防護ネットが開示されている。この砂場用防護ネットの考案は、砂場の周囲に立設して設けられた支柱に砂場の周囲を囲むようにネットを取付けるものである。そして、砂場は子供達が安心して遊べる空間であるから、外に砂場に屋根を設備している施設もある。しかし、砂場に日光を当てて砂場を消毒することは、砂場を衛生的に保つために必要である。
【特許文献１】実用新案登録第３０６９３７９号公報
【発明の開示】
【発明が解決しようとする課題】
【０００３】
砂場の環境を衛生的なものとするとともに、子供達が安心して快適に遊べる砂場設備を提供する。
【課題を解決するための手段】
【０００４】
本発明による砂場設備は、砂場に設けられる設備であって、砂場の周囲に立設される支柱と、砂場の周囲に張り巡らされる繊維の束を編んだ網からなるネット部材と、前記ネット部材を吊り下げた状態で保持するワイヤー（３ａ）と、前記支柱間の上部に掛け渡される支持部材と、該支持部材に支持され、所定間隔を隔てて、砂場の上空で垂れ下げられ、シート状で繊維の束を編んだ網からなる複数の天井部材と、前記天井部材の下部に結合され、前記天井部材を斜めに傾けて日陰を調節するワイヤー（２ｂ）と、砂場を囲んだ前記ネット部材の内側に入るように設けられた足洗い場と、を備えていることを特徴とする。
前記天井部材には、砂場の上空を閉状態とした際に現れる絵柄が施されていることが好ましい。ＵＶ光をカットするフィルムが前記天井部材に備えられていることが好ましい。
【発明の効果】
【０００５】
ワイヤーに吊り下げられたネット部材が、砂場の周囲に張り巡らされることにより、小動物は砂場に侵入できないから砂場の環境を衛生的なものとすることができる。さらに、シート状の天井部材が設けられることにより、砂場に照射される日差しを避けることができ、特に、日差しの強い日には、砂場で遊ぶ子供達の日射病や熱射病等の健康被害を防止することができる。
子供達にとって、砂場の砂が乾燥すると砂遊びがつまらないものになる。しかし、足洗い場が近くにあると水で砂場が湿るので、砂場遊びを楽しいものとすることができる。
天井部材を砂場の上空で垂れ下げて設けることにより、上空を閉鎖しない状態で日差しを避けることができる。
天井部材の下部にワイヤーを結合することにより、簡易な構造で、砂場の上空を閉状態とし、日差しを遮断することができる。
砂場の上空を閉状態とした際に、所定の絵柄が現れることで、子供達にとって砂場が快適な空間となる。
ＵＶ光をカットするフィルムを天井部材に備えることにより、人体に悪影響を及ぼす紫外線が遮断できるので、子供達が安心して快適に遊べるようになる。
【発明を実施するための最良の形態】
【０００６】
本発明の実施の形態について、図面を基に詳述する。
図１は、本発明の砂場設備１０であり、砂場を開放した状態で示したものである。この砂場設備１０は、略矩形状の砂場の角部に立設させた支柱１間に、ワイヤー３ａを張り渡し、ネット部材３を吊り下げた状態で保持させて、ネット部材３を砂場の周囲に張り巡らすことができるものである。
砂場の周囲に張り巡らされるネット部材３は、繊維の束を編んで造った網で構成され、犬や猫などの小動物の攻撃に対して充分な強度を備えるとともに、耐候性を備えたものが利用される。その高さは、犬や猫が飛び越えられない程度の高さ（約１．８ｍ程度）とし、下縁には、例えば、チェーンや太めの紐等（線状の重り部材６（図３参照）を取付け、犬や猫などの小動物が、砂場に侵入することが出来ないようにする。また、ネット部材３は、リングを介して吊り下げられ、手で容易に開閉ができるように設けられる。
【０００７】
支柱１間には、掛け渡されて支持部材４が設けられ、該支持部材４に支持させてシート状の天井部材２が設けられる。天井部材２は、砂場に日陰ができるように、所定間隔を隔てて、砂場の上空に垂れ下げて設けられる。天井部材２の上部にはワイヤー２ａが結合されており、天井部材２が所定間隔を隔てて配置された状態と、複数の天井部材２が集められた状態（図省略；日陰ができない状態）とが、巻き取り器７を利用して自在に操作できるように構成されている。支持部材４は天井部材２を支持するとともに、天井部材２が移動する際には、この移動をガイドする。天井部材２は支柱１間を自在に移動するように構成されているので、砂場に日陰ができるように天井部材２を垂れ下げた状態では、日差しの強い日中でも子供達は快適に過ごすことができる。
【０００８】
図２は、天井部材２の下部に、天井部材２を斜めに傾けるワイヤー２ｂを設け、日陰の部分の増減を調節できるようにしたものである。天井部材２を斜めに傾ける操作は、天井部材２の下部に結合したワイヤー２ｂを、太陽側に引き寄せる（巻き取る）ようにする。他方、ワイヤー２ｂを緩めると砂場の上空で天井部材２が垂れ下がる。このように、天井部材２の下部に結合したワイヤー２ｂの操作で、天井部材２の傾斜角度は自在に調節される。これにより、シート状の天井部材２を斜めに傾けて、太陽光の遮断がコントロールできるようになる。
【０００９】
ちなみに、砂場の前面（太陽側）を完全に日陰にするには、支柱１間よりも外側に張り出させて日差し避け（図省略）を設けること、もしくは、砂場の前面に設けられた天井部材２の長さを上下方向に長くすることで実施可能である。図２の状態は、砂場の上空を閉状態とし、砂場が直射日光を直接受けることがないようにするものであるが、上空を封鎖するものでないから、開放感が損なわれることはない。
【００１０】
天井部材２は、ネット部材３と同様の網（繊維の束を編んだもの）で形成される。しかし、好ましくは、フレームを設けて板状にし、さらに、支持部材４と係合する係合部を設けて形成される。そして、ＵＶ光（紫外線）をカット（遮断）するフィルムを設けて人体に悪影響を及ぼすＵＶ光だけを遮断するようにする。天井部材２は、網状の部材に限定されることはなく、ＵＶ光（紫外線）を遮断するガラス素材や合成樹脂で形成することもできる。
【００１１】
天井部材２を色彩が施されたガラス素材や合成樹脂で形成し、砂場の上空を閉状態とした時に、上空に所定の絵柄が現れるようにすると、遊び場として好適なものになる。また、図１および図２に示したように、砂場８の領域に足洗い場５を設けると、水で砂場が湿るので、砂場遊びが楽しいものになる。
【図面の簡単な説明】
【００１２】
【図１】砂場の上空に天井部材を垂れ下げて設けた砂場設備を説明する説明図である。
【図２】天井部材を傾けて砂場の上空を閉状態にしたことを説明する説明図である。
【符号の説明】
【００１３】
１  支柱
２  天井部材
２ａ、２ｂ  ワイヤー
３  ネット部材
３ａ  ワイヤー
４  支持部材
５  足洗い場
８  砂場
１０  砂場設備
【図１】
0005163048.tif 000002
【図２】
0005163048.tif 000003